(57)【特許請求の範囲】
【請求項１】
伝送システムの複数階層のドメイン終端点およびドメインモニタ点において、それぞれＴＯＳバイトを使用した入れ子型ドメインモニタを行うことにより警報を検出してＡＩＳ信号を生成し、下流に送出するようにした警報転送方法であって、
各ドメイン終端点または各ドメインモニタ点において警報を検出したとき、それぞれ自終端点または自モニタ点が所属するドメインレベル値をＴＯＳバイト値としてＡＩＳ信号を生成し、下流に送出すると共に、
各ドメイン終端点または各ドメインモニタ点において、自終端点または自モニタ点のレベル値を超えるＴＯＳバイト値を有するＡＩＳ信号を受信したときには、その受信したＡＩＳ信号のＴＯＳバイト値を、また自終端点または自モニタ点のレベル値以下のＴＯＳバイト値を有するＡＩＳ信号を受信したときには、自終端点または自モニタ点のレベル値を、それぞれ新たなＴＯＳバイト値としてＡＩＳ信号を生成し、下流に送出する
ことを特徴とする警報転送方法。
【請求項２】
上記伝送システムが、オプティカル・チャネル伝送システムであることを特徴とする請求項１に記載の警報転送方法。
【請求項３】
伝送システムにより伝送される信号のフレーム構造が、警報転送のために、複数個のＢＩＰ／ＢＤＩバイトと、ドメインモニタ対象レベルを示すＴＯＳバイトと、下流への信号断を通知するためのＡＩＳバイトと、を含んでいることを特徴とする請求項１または２に記載の警報転送方法。
【請求項４】
フレーム構造が、８個のＢＩＰ／ＢＤＩバイトを含んでいることを特徴とする請求項３に記載の警報転送方法。
【請求項５】
各ドメイン終端点または各ドメインモニタ点において警報を検出したとき、ＢＤＩを「警報有り」に設定することを特徴とする請求項３または４に記載の警報転送方法。
【請求項６】
各ドメイン終端点または各ドメインモニタ点において警報を検出したとき、ＢＤＩを「警報有り」に設定して、対向生成点に通知することを特徴とする請求項３または４に記載の警報転送方法。
【請求項７】
伝送システムの複数階層のドメイン終端点およびドメインモニタ点において、それぞれＴＯＳバイトを使用した入れ子型ドメインモニタを行うことにより警報を検出してＡＩＳ信号を生成し、下流に送出するようにした警報転送装置であって、
各ドメイン終端点または各ドメインモニタ点において警報を検出したとき、それぞれ自終端点または自モニタ点が所属するドメインレベル値をＴＯＳバイト値としてＡＩＳ信号を生成し、下流に送出すると共に、
各ドメイン終端点または各ドメインモニタ点において、自終端点または自モニタ点のレベル値を超えるＴＯＳバイト値を有するＡＩＳ信号を受信したときには、その受信したＡＩＳ信号のＴＯＳバイト値を、また自終端点または自モニタ点のレベル値以下のＴＯＳバイト値を有するＡＩＳ信号を受信したときには、自終端点または自モニタ点のレベル値を、それぞれ新たなＴＯＳバイト値としてＡＩＳ信号を生成し、下流に送出する
ことを特徴とする警報転送装置。
【発明の詳細な説明】
【０００１】
【発明の属する技術分野】
本発明は、例えばオプティカル・チャネル等の信号伝送システムにおける警報転送方法およびその装置に関する。
【０００２】
【従来の技術】
従来、例えばＩＴＵ−Ｔ  Ｇ．７０９で勧告されているオプティカル・チャネル（以下、ＯＣｈという）伝送においては、警報転送のために、いわゆるＴＯＳ（Ｔｏｐ  Ｏｆ  Ｐｏｉｎｔｅｒ）バイトを使用した入れ子型ドメインモニタが行なわれている。
【０００３】
この入れ子型ドメインモニタにおいては、例えば図４に示すように、ＯＣｈモニタ点レベル２（ＯＣｈ  ｎＭ−２）の光ファイバ断等によって、光入力断（ＯＣｈ−ＬＯＳ）が発生した場合、このＯＣｈモニタ点レベル２（ＯＣｈ  ｎＭ−２）は、主信号に影響を与えないモニタリング方法であるｎｏｎ−ｉｎｔｒｕｓｉｖｅ  ｍｏｎｉｔｅｒｒｉｎｇを実施しており、下流方向にのみＯＣｈ−ＡＩＳ信号を送出することにより、下流に信号断を通知する。その際、このＯＣｈモニタ点レベル２（ＯＣｈ  ｎＭ−２）は、ＴＯＳバイトの値を０にセットする。
【０００４】
次に、ＯＣｈ終端点レベル２（ＯＣｈ  Ｓｋ−２）は、上記ＯＣｈ−ＡＩＳ信号の受信に伴って、同様に下流にＯＣｈ−ＡＩＳ信号を送出し、その際ＴＯＳバイトを０にセットすると共に、対向ＯＣｈ生成点（ＯＣｈ生成点レベル２〜ＯＣｈ  Ｓｏ−２）に対してＢＤＩバイトを「警報有り」として通知する。
同様にして、レベル１およびレベル０のＯＣｈ終端点（ＯＣｈ  Ｓｋ−１，ＯＣｈ  Ｓｋ−０）においても、レベル１終端点と同様の処理が行なわれる。
【０００５】
このようにして、従来の警報転送方法においては、ドメインモニタ点において、ＯＣｈ−ＡＩＳ信号生成時に、ＴＯＳバイトを０にセットして、下流に対してＯＣｈ−ＡＩＳ信号を送出するようにしている。
【０００６】
【発明が解決しようとする課題】
しかしながら、このような構成の警報転送方法においては、ＯＣｈ−ＡＩＳ信号生成点以降の下流のドメインモニタ点では、いずれのドメインレベルにおいてもＴＯＳバイトが０にセットされる。
このため、どのドメインレベルでＯＣｈ−ＡＩＳ信号を生成しているのかを認識することができない。
したがって、警報検出箇所の特定が困難であり、迅速な故障復旧作業を行なうことができないという問題があった。
【０００７】
これに対して、特表平１１−５０７７８０号には、通信ネットワークにおける故障位置の識別方法が開示されているが、この方法においては、故障を検出したとき、故障位置の識別子を下流に対して送信するようになっている。
この場合、上記故障位置の識別子は、所定の周期で所定回数だけ下流に対して送信され、下流側では、所定回数の故障位置の識別子を受信することによって、当該故障位置を認識するようになっている。
【０００８】
しかしながら、この方法においては、故障位置を認識するために、所定周期で所定回数だけ故障位置の識別子を送受信する必要があることから、送受信部の構成が複雑になると共に、故障位置の認識のために要する時間が長くなる。
このため、コストが高くなると共に、迅速な故障復旧作業を行なうことができないという問題があった。
【０００９】
本発明は、上記の問題を解決すべくなされたものであり、簡単な構成により、ＯＣｈ−ＡＩＳ信号を生成したドメインレベルを検出できるようにした警報転送方法およびその装置の提供を目的とする。
【００１０】
【課題を解決するための手段】
この目的を達成するため、本発明の請求項１記載の警報転送方法は、伝送システムの複数階層のドメイン終端点およびドメインモニタ点において、それぞれＴＯＳバイトを使用した入れ子型ドメインモニタを行うことにより警報を検出してＡＩＳ信号を生成し、下流に送出するようにした警報転送方法にあって、各ドメイン終端点または各ドメインモニタ点において警報を検出したとき、それぞれ自終端点または自モニタ点が所属するドメインレベル値をＴＯＳバイト値としてＡＩＳ信号を生成し、下流に送出すると共に、各ドメイン終端点または各ドメインモニタ点において、自終端点または自モニタ点のレベル値を超えるＴＯＳバイト値を有するＡＩＳ信号を受信したときには、その受信したＡＩＳ信号のＴＯＳバイト値を、また自終端点または自モニタ点のレベル値以下のＴＯＳバイト値を有するＡＩＳ信号を受信したときには、自終端点または自モニタ点のレベル値を、それぞれ新たなＴＯＳバイト値としてＡＩＳ信号を生成し、下流に送出する方法としてある。
【００１１】
このような警報転送方法とすると、各ドメイン終端点または各ドメインモニタ点にて受信するＡＩＳ信号のＴＯＳバイト値が、警報を検出した各ドメイン終端点または各ドメインモニタ点のレベル値に設定される。
したがって、ＡＩＳ信号のＴＯＳバイト値により、警報を検出した各ドメイン終端点または各ドメインモニタ点のレベル値に基づいて、警報検出箇所の認識を容易に行なうことができ、伝送システムの迅速な故障復旧作業を行なうことができる。
【００１２】
また、請求項２記載の警報転送方法は、上記伝送システムを、オプティカル・チャネル伝送システムとしてある。
このような警報転送方法とすると、オプティカル・チャネル伝送システムにおいて、ＡＩＳ信号のＴＯＳバイト値により、警報を検出した各ドメイン終端点または各ドメインモニタ点のレベル値に基づいて、警報検出箇所の認識を容易に行なうことができ、伝送システムの迅速な故障復旧作業を行なうことができる。
【００１３】
また、請求項３記載の警報転送方法は、伝送システムにより伝送される信号のフレーム構造が、警報転送のために、複数個のＢＩＰ／ＢＤＩバイトと、ドメインモニタ対象レベルを示すＴＯＳバイトと、下流への信号断を通知するためのＡＩＳバイトと、を含んだものとしてある。
また、請求項４記載の警報転送方法は、フレーム構造が、８個のＢＩＰ／ＢＤＩバイトを含んだものとしてある。
【００１４】
このような警報転送方法とすると、伝送信号のフレーム構造のうち、警報転送のためのＴＯＳバイトを使用して、警報を検出した各ドメイン終端点または各ドメインモニタ点のレベル値に基づいて、警報検出箇所の認識を容易に行なうことができ、伝送システムの迅速な故障復旧作業を行なうことができる。
【００１５】
また、請求項５記載の警報転送方法は、各ドメイン終端点または各ドメインモニタ点において警報を検出したとき、ＢＤＩを「警報有り」に設定するようにしてある。
また、請求項６記載の警報転送方法は、各ドメイン終端点または各ドメインモニタ点において、警報を検出したときに、ＢＤＩを「警報有り」に設定して、対向生成点に通知するようにしてある。
【００１６】
このような警報転送方法とすると、ＡＩＳ信号に含まれるＢＤＩにより警報を検出したことを容易に把握することができると共に、ＴＯＳバイト値により、警報検出箇所の認識を容易に行なうことができ、伝送システムの迅速な故障復旧作業を行なうことができる。
【００１７】
また、請求項７記載の警報転送装置は、伝送システムの複数階層のドメイン終端点およびドメインモニタ点において、それぞれＴＯＳバイトを使用した入れ子型ドメインモニタを行うことにより警報を検出してＡＩＳ信号を生成し、下流に送出するようにした警報転送装置であって、各ドメイン終端点または各ドメインモニタ点において警報を検出したとき、それぞれ自終端点または自モニタ点が所属するドメインレベル値をＴＯＳバイト値としてＡＩＳ信号を生成し、下流に送出すると共に、各ドメイン終端点または各ドメインモニタ点において、自終端点または自モニタ点のレベル値を超えるＴＯＳバイト値を有するＡＩＳ信号を受信したときには、その受信したＡＩＳ信号のＴＯＳバイト値を、また自終端点または自モニタ点のレベル値以下のＴＯＳバイト値を有するＡＩＳ信号を受信したときには、自終端点または自モニタ点のレベル値を、それぞれ新たなＴＯＳバイト値としてＡＩＳ信号を生成し、下流に送出する装置としてある。
このように、本発明は警報転送装置として具現化することもできる。
【００１８】
【発明の実施の形態】
以下、本発明の実施の形態について、図面を参照して説明する。
まず、本発明の警報転送方法及び警報転送装置を例えばＩＴＵ−Ｔ  Ｇ．７０９で勧告されているＯＣｈ伝送のＴＯＳバイトを使用した入れ子型ドメインモニタに適用した場合の第一の実施形態について、図１〜図３を参照して説明する。図１は、本発明による警報転送方法及び警報転送装置が適用されるＯＣｈ伝送システムの構成を示す図である。
【００１９】
図１において、ＯＣｈ伝送システム１０は、三階層の構成であって、最下位レベル（以下、レベル０という）のドメインモニタ区間は、一番外側のドメインモニタ監視区間０で示されており、また、次のレベル（以下、レベル１という）のドメインモニタ区間は、ドメインモニタ監視区間１で示され、さらに最上位のドメインモニタ区間は、ドメインモニタ監視区間２で示されている。
【００２０】
ここで、ＯＣｈ伝送システム１０における伝送信号は、図２に示すフレーム構成のＯＨ部を有している。
図２において、ＯＨ部は、１６バイト４桁の構成を有しており、ＯＣｈの警報転送で使用されるバイトの例として、ＦＡＳ（Ｆｒａｍｅ  ＡｌｉｇｎｍｅｎｔＳｉｇｎａｌ）と、８階層分を収容可能な８個のＢＩＰ（Ｂｉｔ  Ｉｎｔｅｒｌｅａｖｅｄ  Ｐａｒｉｔｙ）／ＢＤＩ（Ｂａｃｋｗａｒｄ  Ｄｅｆｅｃｔ  Ｉｎｄｉｃａｔｉｏｎ）バイト（ＢＩＰ＃１〜ＢＩＰ＃８およびＢＤＩ＃１〜ＢＤＩ＃８）と、ドメインモニタ対象レベルを示すＴＯＳバイトと、下流への信号断を通知するためのＡＩＳ（Ａｌａｒｍ  Ｉｎｄｉｃａｔｉｏｎ  Ｓｉｇｎａｌ）バイトと、を含んでいる。
【００２１】
なお、図２においては、モニタ対象としてのＢＩＰ／ＢＤＩバイト以外のＯＨ情報は省略してある。
また、以下の説明では、説明を簡略化するために、８階層分ではなく３階層分の場合について説明する。
【００２２】
ＯＣｈ生成点では、下流のレベルに対して「１」を加えた数を自身のレベルとするために、ＴＯＳバイト値を１だけ大きく設定すると共に、自身のレベルのドメインモニタを行なうためのＢＩＰバイトの書き込みと、対向ドメインモニタ生成点へのＢＤＩ通知のためにＢＤＩバイトの書き込みを行なう。
【００２３】
ＯＣｈ終端点では、受信した信号からＢＩＰ計算を行なって、このＢＩＰとＴＯＳバイトで示されたレベルの受信ＢＩＰバイトとを比較し、ＢＩＰ誤りを検出することにより、伝送路品質の監視を行なう。
また、ＢＤＩバイトが「警報有り」の場合には、対向ドメインモニタ点にて信号断を検出したことを認識して、必要であれば所定の警報動作を行なうようになっている。
【００２４】
ドメインモニタ点では、ＢＩＰおよびＢＤＩの監視を行なって、監視結果に基づいた転送処理は行なわない。ここで、ドメインモニタ点におけるドメインレベルは、上流のドメインモニタ生成点と下流のドメインモニタ終端点と同一レベルとなる。
【００２５】
次に、本実施形態によるＯＣｈ−ＡＩＳ信号の転送動作について、図３を参照して説明する。
図３において、ＯＣｈモニタ点レベル２（ＯＣｈ  ｎＭ−２）の光ファイバ断等によって、光入力断（ＯＣｈ−ＬＯＳ）が発生した場合、このＯＣｈモニタ点レベル２（ＯＣｈ  ｎＭ−２）は、ｎｏｎ−ｉｎｔｒｕｓｉｖｅ  ｍｏｎｉｔｅｒｒｉｎｇを実施しており、下流方向にのみＯＣｈ−ＡＩＳ信号を送出することにより、下流に信号断を通知する。
その際、このＯＣｈモニタ点レベル２（ＯＣｈ  ｎＭ−２）は、ＴＯＳバイトの値を、０ではなく、警報を検出したドメインモニタ点すなわちＯＣｈモニタ点レベル２のレベル値２にセットする。
【００２６】
次に、ＯＣｈ終端点レベル２（ＯＣｈ  Ｓｋ−２）は、上記ＯＣｈ−ＡＩＳ信号の受信に伴って、同様に、下流にＯＣｈ−ＡＩＳ信号を送出し、その際ＴＯＳバイトとして、自終端点レベル値２にセットすると共に、対向ＯＣｈ生成点（ＯＣｈ生成点レベル２〜ＯＣｈ  Ｓｏ−２）に対してＢＤＩバイトを「警報有り」として通知する。
【００２７】
続いて、ＯＣｈ終端点レベル１（ＯＣｈ  Ｓｋ−１）は、上記ＯＣｈ終端点レベル１からのＯＣｈ−ＡＩＳ信号の受信に伴って、同様に下流にＯＣｈ−ＡＩＳ信号を送出する。
その際、ＯＣｈ終端点レベル１（ＯＣｈ  Ｓｋ−１）は、受信したＯＣｈ−ＡＩＳ信号のＴＯＳバイト値２が自終端点レベル１より高いレベル値であるので、受信したＯＣｈ−ＡＩＳ信号のＴＯＳバイト値２をそのまま新たなＴＯＳバイト値としてセットすると共に、対向ＯＣｈ生成点（ＯＣｈ生成点レベル１〜ＯＣｈ
Ｓｏ−１）に対してＢＤＩバイトを「警報有り」として通知する。
【００２８】
そして、レベル０のＯＣｈ終端点（ＯＣｈ  Ｓｋ−０，ＯＣｈ  Ｓｋ−０）においても、ＯＣｈ終端点レベル１と同様の処理が行なわれる。
【００２９】
このようにして、本実施形態においては、ドメインモニタ点において、ＯＣｈ−ＡＩＳ信号生成時に、ＴＯＳバイト値を自モニタ点のドメインレベル値２にセットして、下流に対してＯＣｈ−ＡＩＳ信号を送出する。
そして、下流の各ドメイン終端点においては、受信したＯＣｈ−ＡＩＳ信号のＴＯＳバイト値と自終端点のドメインレベル値とを比較して、高い方のレベル値を新たなＴＯＳバイト値にセットして、ＯＣｈ−ＡＩＳ信号を生成して、下流に送出する。
【００３０】
したがって、警報を検出したときには、検出したドメインモニタ点のドメインレベル値がＴＯＳバイト値としてセットされ、下流に送出される。そして、下流のドメインモニタ点／ドメイン終端点にて、このレベル値を、順次にＴＯＳバイト値としてセットして、ＯＣｈ−ＡＩＳ信号を生成することにより、ＯＣｈ−ＡＩＳ信号が順次に転送されると共に、ＯＣｈ−ＡＩＳ信号のＴＯＳバイト値が常に警報を検出したドメインモニタ点／ドメイン終端点のドメインレベル値を示すことになる。
【００３１】
これにより、ＯＣｈ−ＡＩＳ信号のＴＯＳバイト値に基づいて、警報を検出したドメインモニタ点やドメイン終端点よりドメインレベル値が低いドメインモニタ点やドメイン終端点においても、ＯＣｈ−ＡＩＳ信号を生成したドメインレベルを検出することができるので、警報検出箇所の認識が容易になる。
【００３２】
上述した実施形態においては、伝送信号のフレーム構成が、伝送システムの階層数に対応して、８階層または３階層分のＢＩＰ／ＢＤＩバイトを備えているが、これに限らず、２階層または４階層〜７階層あるいは９階層以上の伝送システムにおいても、本発明による警報転送方法及び警報転送装置を適用することができる。
【００３３】
【発明の効果】
以上のように、本発明によれば、各ドメイン終端点または各ドメインモニタ点にて受信するＡＩＳ信号のＴＯＳバイト値が、警報を検出した各ドメイン終端点または各ドメインモニタ点のレベル値に設定されている。したがって、ＡＩＳ信号のＴＯＳバイト値により、警報を検出した各ドメイン終端点または各ドメインモニタ点のレベル値に基づいて、警報検出箇所の認識を容易に行なうことかでき、伝送システムの迅速な故障復旧作業を行なうことができる。
【図面の簡単な説明】
【図１】本発明の一実施形態を実施するためのＯＣｈ伝送システムの構成例を示す図である。
【図２】図１のＯＣｈ伝送システムで使用される伝送信号のフレーム構成のＯＨ部を示す概略図である。
【図３】図１のＯＣｈ伝送システムにおける警報検出時のＯＣｈ−ＡＩＳ信号の転送を示す図である。
【図４】従来のＯＣｈ伝送システムにおける警報転送方法の一例を示す図である。
【符号の説明】
１０  ＯＣｈ伝送システム
ＯＣｈ  Ｓｏ−０    ＯＣｈ生成点レベル０
ＯＣｈ  Ｓｏ−０    ＯＣｈ生成点レベル１
ＯＣｈ  Ｓｏ−０    ＯＣｈ生成点レベル２
ＯＣｈ  Ｓｋ−０    ＯＣｈ終端点レベル０
ＯＣｈ  Ｓｋ−０    ＯＣｈ終端点レベル１
ＯＣｈ  Ｓｋ−０    ＯＣｈ終端点レベル２
ＯＣｈ  ｎＭ−２    ＯＣｈモニタ点レベル２
【図１】
0003610922.tif 000002
【図２】
0003610922.tif 000003
【図３】
0003610922.tif 000004
【図４】
0003610922.tif 000005